(57)【要約】【課題】  非接触カード搭載型移動体通信装置において、本来の通信機能に支障を来すことなく非接触カードを動作させる。【解決手段】  基地局からの制御信号Ａを間欠的に受信する送受信部と、動作時に発振器を発振させる非接触カードと、前記送受信部が前記制御信号を受信していない間に前記非接触カードを動作させる制御手段とを備える。送受信部が制御信号を受信していない間に非接触カードを動作させるため、非接触カード動作時に発振器が発振しても、これがノイズとして本来の通信機能に影響を与えることがなくなる。【選択図】  図２
2006025173.tif 000002
【特許請求の範囲】
【請求項１】
基地局からの制御信号を間欠的に受信する送受信部と、動作時に発振器を発振させる非接触カードと、前記送受信部が前記制御信号を受信していないときに前記非接触カードを動作させる制御手段とを備えることを特徴とする非接触カード搭載型移動体通信装置。
【請求項２】
前記制御手段は、前記送受信部が前記間欠的な受信動作から連続受信動作に移行したことを検出したときは前記非接触カードの動作を禁止し前記連続受信動作が終了し前記間欠的な受信が再開してから前記非接触カードを動作させることを特徴とする請求項１に記載の非接触カード搭載型移動体通信装置。
【請求項３】
前記制御手段は、前記基地局からの制御信号が受信できなくなったときは前記間欠的な受信状態からバッテリセービング状態に移行し前記送受信部の受信動作を停止している間に前記非接触カードを動作させることを特徴とする請求項１に記載の非接触カード搭載型移動体通信装置。
【請求項４】
前記制御手段は、前記非接触カードを動作させるとき前記制御信号の受信レベルを設定レベルと比較し前記受信レベルが前記設定レベルよりより弱い場合には前記制御信号の非受信時に前記非接触カードを動作させ前記受信レベルが前記設定レベルより強いときは前記制御信号の受信の有無に関わらず前記非接触カードを動作させることを特徴とする請求項１に記載の非接触カード搭載型移動体通信装置。
【発明の詳細な説明】
【技術分野】
【０００１】
本発明は、携帯電話機等の移動体通信装置に係り、特に、自動改札機等との間で通信を行い料金決済等を行うＩＣカード等の非接触カードを搭載した非接触カード搭載型移動体通信装置に関する。
【背景技術】
【０００２】
下記特許文献１、２に記載されている様に、携帯電話機等にＩＣカード等の非接触カードを搭載し、この携帯電話機を自動改札機等にかざすだけで、非接触カードと自動改札機との間で通信を行わせ、乗車料金の決済を行うことができるようになってきている。
【０００３】
斯かる携帯電話機は、非接触カードと自動改札機との間の料金決済のための通信、あるいは、非接触カードに記録されている残高情報や使用履歴情報を携帯電話機の液晶表示部に表示させる動作とは無関係に、下記特許文献３に記載されている様に、常時かつ間欠的に、例えば７２０ｍｓ周期で２０ｍｓ程度、基地局との間で無線通信を行い、呼出があるか否かを調べている。無線通信を間欠的に行うのは、バッテリが消耗してしまうのを回避するためである。
【０００４】
図４は、従来の携帯電話機に搭載されている非接触カードを動作させるときのタイミングチャートである。基地局からは、常時、制御信号が出力されており、その携帯電話機は「Ａ」でしめす制御信号を受信するために、７２０ｍｓ周期で２０ｍｓ程度、受信部の電源を信号ｃ―ｒｘにより間欠的にオンにし、基地局から呼出があるか否かを調べている。
【０００５】
このとき、例えばユーザが自身の残高情報を非接触カードから読み出して携帯電話機の表示部に表示させようと所定の押しボタン操作を行うと、携帯電話機の制御部は信号ｃ―ｃａｒｄにより非接触カードに電源を供給する。これにより、非接触カードに搭載されている水晶発振器が発振して発振信号（ＯＳＣ信号）を非接触カードに供給し、非接触カードは動作可能となる。従来の携帯電話機は、携帯電話機本来の基地局との間の通信動作とは無関係に、非接触カードの動作制御を行っている。
【０００６】
【特許文献１】特開２００４―６２２６５号公報
【特許文献２】特開２００３―３６４２７号公報
【特許文献３】特許第３０３３６１３号公報
【発明の開示】
【発明が解決しようとする課題】
【０００７】
しかしながら、携帯電話機が基地局との間で無線通信を行っている最中に、非接触カードの水晶発振器からＯＳＣ信号が出力されると、このＯＳＣ信号が携帯電話機本来の通信部に放射ノイズとして作用し、受信感度の劣化が起こり、受信データのビットエラーが増加してしまう虞があるという問題がある。
【０００８】
本発明の目的は、本来の通信機能に支障を来すことなく非接触カードを動作させることが可能な非接触カード搭載型移動体通信装置を提供することにある。
【課題を解決するための手段】
【０００９】
本発明の非接触カード搭載型移動体通信装置は、基地局からの制御信号を間欠的に受信する送受信部と、動作時に発振器を発振させる非接触カードと、前記送受信部が前記制御信号を受信していないときに前記非接触カードを動作させる制御手段とを備えることを特徴とする。
【００１０】
この構成により、基地局からの制御信号を受信している間は非接触カードの発振器の発振が停止されるため、制御信号の受信に支障を来すことがなくなる。
【００１１】
本発明の非接触カード搭載型移動体通信装置の前記制御手段は、前記送受信部が前記間欠的な受信動作から連続受信動作に移行したことを検出したときは前記非接触カードの動作を禁止し前記連続受信動作が終了し前記間欠的な受信が再開してから前記非接触カードを動作させることを特徴とする。
【００１２】
この構成により、連続受信動作中には非接触カードの発振器の発振が停止されるため、連続受信動作に支障を来すことがなくなる。
【００１３】
本発明の非接触カード搭載型移動体通信装置の前記制御手段は、前記基地局からの制御信号が受信できなくなったときは前記間欠的な受信状態からバッテリセービング状態に移行し前記送受信部の受信動作を停止している間に前記非接触カードを動作させることを特徴とする。
【００１４】
この構成により、電波が届かない状態になり間欠受信も行わなくなったときでも非接触カードを動作させることが可能となる。
【００１５】
本発明の非接触カード搭載型移動体通信装置の前記制御手段は、前記非接触カードを動作させるとき前記制御信号の受信レベルを設定レベルと比較し前記受信レベルが前記設定レベルよりより弱い場合には前記制御信号の非受信時に前記非接触カードを動作させ前記受信レベルが前記設定レベルより強いときは前記制御信号の受信の有無に関わらず前記非接触カードを動作させることを特徴とする。
【００１６】
この構成により、受信レベルが強いときは待ち時間無く非接触カードを動作させ非接触カードに格納されている必要情報を見ることが可能となる。
【発明の効果】
【００１７】
本発明によれば、移動体通信装置の受信データを劣化させることなく、非接触カードの動作を制御することが可能となる。
【発明を実施するための最良の形態】
【００１８】
以下、本発明の一実施形態について、図面を参照して説明する。
【００１９】
図１は、本発明の一実施形態に係る非接触カード搭載型移動体通信装置のブロック構成図である。移動体通信装置は、例えば、ＧＳＭ、ＰＤＣ等のデジタル方式の無線電話機やアナログ方式の無線電話機、無線通信を受信あるいは送信するＰＤＡ等の情報端末装置等のいずれでもよい。
【００２０】
この移動体通信装置２０は、高周波アンテナ１に接続され送受信に必要な変調や復調を行う送受信部２と、送受信部２に接続され送受信信号のデジタル処理を行うデジタル処理部３と、デジタル処理部３に接続され音声処理を行う音声処理部４と、音声処理部４に接続されるスピーカ５及びマイク６と、移動体通信装置２０を統括制御する制御部７と、制御部７に接続され通信に必要なデータが格納されたるＳＲＡＭ（スタティックランダムアクセスメモリ）８と、ダイヤルボタン等の操作部９と、液晶等の表示部１０とを備える。
【００２１】
この移動体通信装置２０には、更に、非接触カード１２が搭載される。この非接触カード１２は、アンテナ１１及び水晶発振子（ＯＳＣ）１３が設けられており、制御部７との間で信号授受を行い制御部７によって動作制御される。
【００２２】
送受信部２から制御部７へは、受信レベル信号ｒｘ―ｌｅｖｅｌが出力され、制御部７から送受信部２へは、送信電源制御信号ｃ―ｔｘ及び受信電源制御信号ｃ―ｒｘが出力され、制御部７から非接触カード１２へは、非接触カード電源制御信号ｃ―ｃａｒｄが出力される。
【００２３】
図２は、図１に示す非接触カード搭載型移動体通信装置の動作タイミングチャートである。移動体通信装置２０の送受信部２は、図示しない基地局からの制御信号を常時受信しているが、消費電力を低減する為に、間欠的に基地局からの制御信号を受信する。例えば、間欠受信のサイクル時間は７２０ｍｓ、基地局からの必要な制御信号Ａを受信する時間は２０ｍｓであり、制御信号Ａを受信する以外の時は、受信電源制御信号ｃ−ｒｘをオフにしている。
【００２４】
この間欠受信状態にある移動体通信装置２０で、内蔵の非接触カード１２の記憶情報、例えば残高情報を読み出して表示部１０に表示させる場合には、非接触カード１２に制御部７から与える非接触カード電源制御信号ｃ−ｃａｒｄをオンにし、非接触カード１２の動作に必要なＯＳＣ信号１３．５６ＭＨｚを水晶発振子１３に発振させる。これにより、非接触カード１２は必要な情報を制御部７に転送させることが可能となる。
【００２５】
このとき、本実施形態に係る移動体通信装置２０では、水晶発振子１３の発振信号（ＯＳＣ信号）が放射ノイズとして基地局からの制御信号の受信データを破壊しないように、制御部７は、送受信部２に出力する受信電源信号ｃ−ｒｘをオフにしたことを確認した後、非接触カード１２に与える非接触カード電源制御信号ｃ−ｃａｒｄをオンにする。
【００２６】
非接触カード１２の水晶発振子１３は、非接触カード電源制御信号ｃ―ｃａｒｄのオン信号を受けて１３．５６ＭＨｚの発振を開始し、非接触カード１２が非接触カード動作処理♯１を実行する。
【００２７】
送受信部２では、受信電源制御信号ｃ−ｒｘがオン（このオン信号は、上述した様に、２０ｍｓ後にオフになる。）にしてから、間欠受信サイクルである７２０ｍｓが経過する直前に、制御部７から非接触カード１２へ非接触カード動作処理♯１の終了を命令し、非接触カード動作処理♯１の終了後に、非接触カード電源制御信号ｃ−ｃａｒｄをオフにする。これにより、水晶発振子１３は発振動作を停止する。
【００２８】
その後、制御部７は、送受信部２に与える受信電源信号ｃ―ｒｘをオンにすると、送受信部２は、基地局から送信されてくる次の制御信号Ａの受信を開始する。２回目の基地局からの制御信号Ａの受信を完了した時点で、制御部７は、受信電源制御信号ｃ−ｒｘをオフにする。
【００２９】
そして、この２回目の受信電源制御信号ｃ−ｒｘのオフを確認した後、再び、非接触カード電源制御信号ｃ―ｃａｒｄをオンにする。これにより、水晶発振子１３は１３．５６ＭＨｚの発振を開始し、非接触カード１２は、非接触カード動作処理♯２を実行する。
【００３０】
更に、受信電源制御信号ｃ−ｒｘをオンにしてから７２０ｍｓが経過する直前に、制御部７から非接触カード１２へ非接触カード動作処理♯２の終了を命令し、非接触カード動作処理♯２が終了した後、非接触カード電源制御信号ｃ−ｃａｒｄをオフにし、水晶発振子１３の発振動作を停止させる。
【００３１】
以後、同様に、非接触カード１２の動作要求があったとき、制御部７は、基地局との間の間欠受信に同期した受信電源制御信号ｃ−ｒｘのオン、オフと同期して非接触カード電源制御信号ｃ−ｃａｒｄのオフ、オンを繰り返すことにより、非接触カード動作処理を間欠的に行う。
【００３２】
この様に、基地局から送られてくる制御信号Ａの受信中は、水晶発振子１３の発振動作は停止されるため、非接触カードの動作に起因する受信データの破壊の虞は回避される。
【００３３】
移動体通信装置２０は、基地局との間で間欠受信を行う最中に、基地局と移動体通信装置との間で情報確認のため、間欠受信を一時停止して数秒間連続受信を行う場合がある。この時は、受信を連続して行っているので、非接触カードの動作は行わず、基地局からの受信動作を優先させ、表示部９に「カード読出し中。お待ちください」等を表示し、連続受信終了後、非接触カードの動作処理を行うようにする。
【００３４】
また、移動体通信装置２０は、トンネル内や山奥の電波の届かない場所に在るときは、基地局からの制御信号が受信できなくなる為、間欠受信はできなくなる。このとき、移動体通信装置２０は、消費電力を減らすため、バッテリーセーブ状態となり、電波を探すために送受信部の受信部電源をオンしている数秒間は非接触カードの動作を禁止し、この数秒間の後の数十秒間の受信部電源をオフにする状態の時に、非接触カードの動作処理を行うようにする。
【００３５】
更にまた、移動体通信装置２０の制御部７は、受信レベルｒｘ―ｌｅｖｅｌに応じた非接触カードの動作制御も併せて行う。図３は、受信レベルの大きさに対する受信データのエラー率を示すグラフである。受信レベルが低いときは、放射ノイズの影響が大きくなり、受信データのエラー率が高くなる。
【００３６】
そこで、制御部７は、受信レベルを監視し、受信レベルが設定レベルより強い場合は、水晶発振子１３の発振信号による放射ノイズによる影響が小さいため、図４の従来のタイミングで非接触カードの動作制御を行い、受信レベルが設定レベルに満たない場合は、図２に示すタイミングで非接触カードの動作制御を行う。
【００３７】
即ち、例えば受信レベルが「中」（携帯電話機の画面に表示されるアンテナ表示の２本相当）以上のときは、基地局からの制御信号Ａを受信している最中でも非接触カードの水晶発振子１３を発振させる動作制御を行い、受信レベルが「小」（アンテナ表示の１本相当）以下のときは、基地局からの制御信号Ａの受信中は非接触カードの動作を禁止する。また、連続受信状態の場合は、受信レベルが「中」以上のとき待ち時間無く非接触カードの情報を何時でも読むことができるようにする。
【産業上の利用可能性】
【００３８】
本発明に係る移動体通信装置は、非接触カードの発振信号によるノイズの影響を受けることがないので、非接触カード搭載型移動体通信装置として有用である。
【図面の簡単な説明】
【００３９】
【図１】本発明の一実施形態に係る非接触カード搭載型移動体通信装置のブロック図
【図２】本発明の一実施形態に係る非接触カード搭載型移動体通信装置の動作タイミングチャート
【図３】本発明の一実施形態に係る非接触カード搭載型移動体通信装置の動作説明に用いる受信レベルと受信データエラー率の関係を示すグラフ
【図４】従来の非接触カード搭載型移動体通信装置の動作タイミングチャート
【符号の説明】
【００４０】
１  高周波アンテナ
２  送受信部
７  制御部
１０  表示部
１２  非接触カード
１３  水晶発振子
２０  移動体通信装置
ｃ―ｒｘ  受信電源制御信号
ｃ―ｃａｒｄ  非接触カード電源制御信号
ｒｘ―ｌｅｖｅｌ  受信レベル信号
【図１】
2006025173.tif 000003
【図２】
2006025173.tif 000004
【図３】
2006025173.tif 000005
【図４】
2006025173.tif 000006